(57)【特許請求の範囲】
【請求項１】
戸パネル１が開口面の外側に配置され、開口面の下側に設けた下部レール３で開閉自在に案内支持してある引戸用の上部案内装置であって、
上部案内装置は、開口枠６に固定されるガイド枠７と、戸パネル１に固定されるスライド枠８と、両枠７・８の間に配置されて、両枠７・８に対して相対スライドできる遊動ビーム９とからなり、
ガイド枠７とスライド枠８との内面のそれぞれには、下部レール３と平行な第１レール１１と第２レール１８とが設けられており、
遊動ビーム９には、第１レール１１に沿って転動する上ローラ２２と、第２レール１８に沿って転動する下ローラ２４とが設けられており、
遊動ビーム９が、ガイド枠７の内面に設けた第１レール１１で上ローラ２２を介して吊持されており、
遊動ビーム９の下面に垂直方向の軸２５を中心にして遊転自在に支持した下ローラ２４に、上向きに開口する断面コ字状の第２レール１８を下面側から嵌め込むことにより、スライド枠８と遊動ビーム９とが上下に相対移動できるよう構成されており、
戸パネル１の開放途中に遊動ビーム９と接当して、遊動ビーム９をスライド枠８と同行移動させる第１接当具２０と、戸パネル１の閉止途中に遊動ビーム９と接当して、遊動ビーム９をスライド枠８と同行移動させる第２接当具２１とが、それぞれスライド枠８に設けてあり、
遊動ビーム９に上下ローラ２２・２４のいずれか一方を前後に位置調整する前後調整機構が設けられている引戸用の上部案内装置。
【請求項２】
遊動ビーム９に下ローラ２４の軸２５を支持する調整枠２７が左右スライド自在に設けられており、
軸２５は調整枠２７に対して前後動可能に支持されており、
調整枠２７を左右へ調整操作するねじ２８が遊動ビーム９の側端に設けられており、
調整枠２７が左右スライドする際に、軸２５を介して下ローラ２４を前後操作するカム部２９が遊動ビーム９に設けてある請求項１記載の引戸用の上部案内装置。  
【発明の詳細な説明】
【０００１】
【発明の属する技術分野】
この発明は、伸縮自在なビームを案内要素に利用した引戸用の上部案内装置に関する。引戸の重量は戸パネルの下部に設けた戸車ないしは同種の走行具が支持する。
【０００２】
【従来の技術】
この種の引戸では、戸パネルの開閉ストロークに対応する長さの下レールおよび上レールを設け、これら一対のレールで戸パネルを開閉案内する。１個の戸パネルで開口面を開閉する場合にも、戸パネルの開閉ストロークと同長の上下レールが必要となる。
【０００３】
【発明が解決しようとする課題】
戸パネルをアウトセットする場合には、少なくとも上レールが開口面の上部周縁と、これに連続する壁面上に露出するため体裁が悪く、室内の雰囲気を損ないやすい。こうした欠点を補うために、伸縮自在なビームを案内要素に利用した引戸が公知であり、例えば特開昭６０−２５３６８３号公報、特公昭５９−４４５２４号公報、特開昭５８−１４３０７６号公報はその一例である。但し、これらは基本的に吊戸であって、戸重量の全てを伸縮できるビームで支持している。
【０００４】
吊戸型の引戸は例えば経年変化によって戸パネルがそり変形し、あるいは戸枠が歪み変形して、戸パネルが戸枠と擦れ合うような場合に、戸パネルの姿勢や位置を補正することができない。スライド伸縮するビームで戸重量を支持するので、ビーム部分に調整機構を組み込むことが困難なためである。
ビーム部分と戸パネルとの間に別途調整機構を設けることは不可能ではないが、その分だけ構造が複雑になるうえ、位置や姿勢等の戸パネルの補正操作を複数の吊持個所で行う必要があり操作が面倒である。伸縮ビームの固定ガイド枠が室内側へ向かって開口するので、室内の雰囲気を損ないやすく、枠内に塵埃が堆積しやすい不利もある。
【０００５】
この発明の目的は、開口面の外側に戸パネルを配置するアウトセット型の引戸に好適であり、居室や個室型の事務室等の雰囲気が重視される室内に違和感なく適用できる引戸用の上部案内装置を提供することにある。
この発明の他の目的は、経年変化等によって戸パネルや戸枠がそり変形するような場合に、戸パネルの上下方向の位置調整や前後方向の位置調整を行って、戸パネルが戸枠に対して擦れるのを補正できる引戸用の上部案内装置を提供することにある。
この発明の他の目的は、案内装置の内部に戸パネルの前後方向の位置調整機構が組み込んであり、室内装置の側端部の一個所から調整ねじを操作するだけで、戸パネルを少ない手間で簡単に前後に位置調整できる、引戸用の上部案内装置を提供することにある。
【０００６】
【課題を解決するための手段】
この発明の上部案内装置では、戸パネル１が開口面の外側に配置され、開口面の下側に設けた下部レール３で開閉自在に案内支持してある引戸を対象とする。上部案内装置は、開口枠６に固定されるガイド枠７と、戸パネル１に固定されるスライド枠８と、両枠７・８の間に配置されて、両枠７・８に対して相対スライドできる遊動ビーム９とからなる。ガイド枠７とスライド枠８の内面のそれぞれには、下部レール３と平行な第１レール１１と第２レール１８を設ける。遊動ビーム９には、第１レール１１に沿って転動する上ローラ２２と、第２レール１８に沿って転動する下ローラ２４とを設ける。戸パネル１の開放途中に遊動ビーム９と接当して、遊動ビーム９をスライド枠８と同行移動させる第１接当具２０と、戸パネル１の閉止途中に遊動ビーム９と接当して、遊動ビーム９をスライド枠８と同行移動させる第２接当具２１とを、それぞれスライド枠８に設ける。
【０００７】
具体的には、遊動ビーム９を、ガイド枠７の内面に設けた第１レール１１で上ローラ２２を介して吊持する。下ローラ２４を遊動ビーム９の下面に垂直方向の軸２５を中心にして遊転自在に支持し、さらに第２レール１８を上向きに開口するコ字枠で形成して、スライド枠８と遊動ビーム９とを上下に相対移動できるよう構成する。遊動ビーム９に上下ローラ２２・２４のいずれか一方を前後に位置調整する前後調整機構を設ける。
遊動ビーム９に下ローラ２４の軸２５を支持する調整枠２７を左右スライド自在に設ける。軸２５は調整枠２７に対して前後動可能に支持する。調整枠２７を左右へ調整操作するねじ２８を遊動ビーム９の側端に設ける。調整枠２７が左右スライドする際に、軸２５を介して下ローラ２４を前後操作するカム部２９を遊動ビーム９に設ける。
【０００８】
【作用】
閉止位置にある戸パネル１を開き操作すると、その上部に固定したスライド枠８が同行移動する。このとき、スライド枠８の第２レール１８は下ローラ２４を介して遊動ビーム９で移行案内されるので、戸パネル１が前後に傾動するのを規制できる。戸パネル１がある程度開放されると、図４に示すようにスライド枠８に設けた第１接当具２０が遊動ビーム９に接当して、これを同行移動させる。以後は、上ローラ２２がガイド枠７の第１レール１１に沿って転動し、遊動ビーム９とスライド枠８とはガイド枠７から側方へ突出して、戸パネル１の上部を支持する。戸パネル１を完全に開放した状態において、遊動ビーム９の移動終端側はガイド枠７の内部にあって、上ローラ２２が第１レール２２で支持されている。この状態から戸パネル１を閉じ操作すると、まず戸パネル１とスライド枠８のみが移動し、ある程度移動した後に第２接当具２１が遊動ビーム９と接当して、これを同行移動させる。戸パネル１を完全に閉じると、遊動ビーム９およびスライド枠８は、ガイド枠７の下方へ復帰移動する。
【０００９】
スライド枠８の第２レール１８を上向きに開口するコ字枠で形成し、第２レール１８を遊動ビーム９の下面に設けた下ローラ２４で移行案内することにより、スライド枠８と遊動ビーム９とを上下に相対移動させることができる。つまり、戸パネル１の例えば戸車２を操作してパネル位置を上下に調整できる。
遊動ビーム９に設けた前後調整機構は、上ローラ２２または下ローラ２４と遊動ビーム９の前後位置を変更して、戸パネル１を前後に移動調整できる。
【００１０】
下ローラ２４の軸２５を調整枠２７で支持し、調整枠２７をねじ２８で左右に操作して、下ローラ２４を遊動ビーム９に対して前後に調整移動する前後調整機構によれば、複数の下ローラ２４を同時に調整操作でき、調整構造を簡素化できる。遊動ビーム９の側端に調整用のねじ２８を設けると、調整操作をガイド枠７の一側で行える。
【００１１】
【実施例】
図１ないし図７はこの発明に係る引戸用の上部案内装置の実施例を示す。図２において、符号１は戸パネル、２は戸パネル１の下部両側に埋設した戸車、３は床面に埋設した下部レールである。下部レール３には、戸車２を走行案内する断面Ｖ字状の溝が設けてある。戸車２はユニット化されており、戸パネル１の側端面に露出する調整ビスを操作することによって、戸パネル１の前後位置を変更調整できる。符号４は戸パネル１を閉止保持するラッチ型の錠であり、この錠４は戸パネル１の開閉操作用の把手を兼ねるハンドル５を回動操作することにより解錠できる。
【００１２】
上記の戸パネル１を前後傾動不能に開閉案内するために、開口枠６の上縁に沿って上部案内装置を設ける。上部案内装置は、開口枠６の上部外面に固定されるガイド枠７と、戸パネル１の上端面に固定されるスライド枠８と、両枠７・８の間に配置される遊動ビーム９とからなる。
【００１３】
図３において、ガイド枠７は下向きに開口する断面コ字形のアルミニウム形材からなり、その上壁内面に下向きに開口する断面Ｃ字状の第１レール１１を一体に設け、さらに開口枠６への取付側壁に外側方へ向かって開口する受溝１２を一体に設ける。この受溝１２に挿嵌した角ナット４０にビス３９をねじ込んで、ガイド枠７を開口枠６に締結固定する（図１参照）。ガイド枠７の両端には、それぞれプラスチック成形品からなるキャップ１３・１４を圧嵌固定する。これら両キャップ１３・１４のうち、左方のキャップ１３は、スライド枠８および遊動ビーム９をガイド枠７から出退できるよう、側面視で門形に形成してある。第１レール１１の上壁内面の両端寄りには、遊動ビーム９の出退限界を規定するためのストッパー軸１５・１６を、下向きに突出する状態で固定する。
【００１４】
スライド枠８は上向きに開口する断面コ字形のアルミニウム形材からなり、その下壁内面の前後中央に上向きに開口する断面コ字状の第２レール１８を一体に設ける。スライド枠８の断面外形寸法は、ガイド枠７の断面外形寸法よりひと回り小さく設定してあり、スライド枠８の全体をガイド枠７の内部に収容でき、この収容状態において、第２レール１８は第１レール１１と小さな間隔を間にして上下に対向している。スライド枠８の開き始端（図に向かって左方端）には、プラスチック成形品からなる化粧キャップ１９を圧嵌固定する。さらに、第２レール１８の底壁内面の左右両端寄りのそれぞれに、金属旋削品からなるピン状の第１接当具２０と第２接当具２１を、それぞれ上向きに突出する状態で固定する。
【００１５】
遊動ビーム９は中空の金属枠体からなり、その右半部上面の二個所に、第１レール１１に沿って転動する上ローラ２２を垂直の軸２３で遊転自在に支持し、左半部下面の二個所に、第２レール１８に沿って転動する下ローラ２４を垂直の軸２５で遊転自在に支持する。
【００１６】
図１および図４に示すように、上ローラ２２をガイド枠７の側端から第１レール１１に嵌め込むことにより、遊動ビーム９の全体がガイド枠７に吊持される。この組み付け状態において、上ローラ２２の下面は第１レール１１の一方の受壁１１ａで支持され、ローラ周面は第１レール１１の前後の内面壁で移動案内される。遊動ビーム９をガイド枠７に組み込んだ後、ストッパー軸１５・１６をガイド枠７にかしめ固定する。この後、戸パネル１に固定したスライド枠８をガイド枠７に下面側から差し込み、遊動ビーム９の下ローラ２４に第２レール１８を下面側から嵌め込ことにより、戸パネル１を前後傾動不能に保持できる。
【００１７】
上記のように、戸パネル１を上部案内装置で案内支持した状態において下ローラ２４の周面は第２レール１８の前後の内面壁のいずれか一方と接当して、戸パネル１の上側の前後位置を規制している。戸車２を前後調整して戸パネル１の前後位置を変更するのに並行して、戸パネル１の上部も同様に前後調整できるようにするために、遊動ビーム９に前後調整機構を設け、これで下ローラ２４を前後に調整移動している。
【００１８】
図５および図６において、前後調整機構は、遊動ビーム９の内部に左右スライド自在に収容した調整枠２７と、調整枠２７を左右に移動操作するねじ２８と、調整枠２７が左右に移動するとき、軸２５を介して下ローラ２４を前後操作するカム部２９などを主要部材にして構成する。調整枠２７は左右に長い帯板からなり、その板面の左右二個所に軸２５を支持する前後に長い長孔３０を通設し、板面左端側に他より前後幅が狭い操作部３１を設ける。この操作部３１を、遊動ビーム９の左側端に固定したガイドブロック３２で出退自在に案内支持し、操作部３１の側端に調整ブロック３３を固定する。
【００１９】
ねじ２８は既製のビスに止め輪用の溝を追加工して形成してあり、そのねじ軸を調整ブロック３３に挿通した後、軸途中部に止め輪３４を装着して、調整ブロンク３３に対して回動は自在であるが、軸方向へは同行できるよう組み付ける。ねじ軸の先端はガイドブロック３２に設けたねじ穴３５にねじ込まれる。これにより、ねじ２８をねじ込み操作すると調整枠２７を右方スライドでき、逆向きに回動操作すると調整枠２７を左方スライドできる。
【００２０】
カム部２９は遊動ビーム９の上下壁のそれぞれに通設した前後方向へ傾斜する左右一対の長溝からなり、これらのカム部２９で下ローラ２４の軸２５の上下を支持する。軸２５の上端は、遊動ビーム９の上面に配置された薄い支持板３６（図３参照）にかしめ固定する。これにより、下ローラ２４は遊動ビーム９に対して前後動可能に支持される。
【００２１】
ねじ２８を操作して調整枠２７を左右にスライド操作すると、軸２５も同方向へ移動しようとする。しかし軸２５の上下はカム部２９の溝壁と接当しているので、軸２５は溝壁に沿って斜めに前後移動し、調整枠２７の長孔３０とカム部２９とが交差する位置に固定される。軸２５および下ローラ２４の前後移動に伴って、スライド枠８も同量だけ前後に移動し、これにより戸パネル１の上方の前後位置が調整される。ねじ２８はドライバー等の工具で回動操作するが、そのために、スライド枠８に装着した化粧キャップ１９の端壁に操作口３８が開口してある。
【００２２】
上記のように構成した上部案内装置によれば、戸パネル１を開き操作すると、まずスライド枠８のみが下ローラ２４に案内されて移動し、戸パネル１を半分近く開放したときに、第１接当具２０が遊動ビーム９の下ローラ２４に接当して、遊動ビーム９を同行移動させる。このとき、上ローラ２２は受壁１１ａに支持されて第１レール１１に沿って転動する。戸パネル１を完全に開き操作した状態では、図４に示すように、左方のストッパー軸１５が上ローラ２２を受け止めて、それ以上遊動ビーム９が進出するのを防止する。遊動ビーム９はその右半分がガイド枠７で支持され、その左半分がガイド枠７の側方に突出してスライド枠８を支えている。実際には、図２に示すように遊動ビーム９の突出部はスライド枠８内に収容されているので、これを見ることはできず、戸パネル１はスライド枠８のみで支持されているように見える。
【００２３】
上記の状態から戸パネル１を閉じ操作すると、まずスライド枠８のみが下ローラ２４に案内されて閉じ側へ移動する。場合によっては、遊動ビーム９がスリップを伴いながら同行移動する。そして、戸パネル１を半分近く閉じ操作すると、開き始端側に設けた第２接当具２１が左方の下ローラ２４に接当して、遊動ビーム９を同行移動させる。戸パネル１を完全に閉じ操作した状態では、遊動ビーム９およびスライド枠８はそれぞれガイド枠７内へ入り込んで隠蔽されるので、外観上の体裁を向上できる。塵埃がスライド枠８や遊動ビーム９に堆積することも良く防止できる。なお、右方のストッパー軸２６は、遊動ビーム９がスライド枠８に押し出されて先行移動するような場合に、上ローラ２２と接当して遊動ビーム９の退入限界を規制するために設けてある。
【００２４】
戸パネル１の前後調整を行う場合には、化粧キャップ１９の外側方からドライバーを差し込んで、ねじ２８を回動操作するだけで戸パネル１を前後方向に調整移動できるので、調整作業に要する手間を軽減できる。調整枠２７で左右の下ローラ２４を同時に調整操作するので、個別に位置調整機構を設ける場合に比べて構造を簡素化できる。
【００２５】
上ローラ２２と第１レール１１の隙間が大きい場合に、ローラ中心軸が傾くことがある。こうした場合には、図７に示すように、遊動ビーム９に上ローラ２２より小径の補助ローラ２２ａを１個以上設け、上ローラ２２を転動支持するための受壁１１ａと、補助ローラ２２ａを転動支持するための受壁１１ｂを、上下に段差を有する状態で第１レール１１の底壁に設ける。このように、上ローラ２２と補助ローラ２２ａを、左右一対の受壁１１ａ・１１ｂで転動自在に支持すると、遊動ビーム９に偏った荷重が作用する場合にも遊動ビーム９を水平に支持でき、戸パネル１を常に正立姿勢でガイドできる。
【００２６】
上記の実施例以外に、第１・第２の接当具２０・２１は遊動ビーム９に接当してこれを同行移動するように変更することができる。必要があれば、遊動ビーム９に両接当具２０・２１あるいはストッパー軸１５・１６と接当するブロックを設けることができる。
上ローラ２２は遊動ビーム９を吊持する機能を備えておればよく、この限りでは、水平ないしは傾斜する軸２３で上ローラ２２を軸支できる。ガイド枠７およびスライド枠８は、それぞれプレス成形した枠体で形成することができる。この発明の上部案内装置は、２個の戸パネル１を左右それぞれに開閉操作する、両開き型の引戸にも適用できる。
前後調整機構は、上ローラ２２と遊動ビーム９との間に設けることができる。この場合には、上ローラ２２の軸２３を調整基準にして、遊動ビーム９が前後に移動操作される。調整枠２７は遊動ビーム９の外面に配置してもよい。
【００２７】
【発明の効果】
この発明の上部案内装置では、戸パネル１を開放する場合に限って、スライド枠８および遊動ビーム９がガイド枠７から突出して、戸パネル１の上部を前後傾動不能に支持し、戸パネル１を閉止した状態では、スライド枠８および遊動ビーム９をカイド枠７の下方に退縮収容して、これらが開口面に隣接する壁面に突出するのを解消した。従って、この発明の上部案内装置によれば、アウトセット型の引戸を室内の雰囲気を損なうことなく設けることができ、従来は適用がためらわれるような居室等にも違和感なく適用できる。
【００２８】
スライド枠８と遊動ビーム９を上下に相対移動可能に組み、さらに遊動ビーム９に前後調整機構を設けるので、引戸を施工する際の戸パネル１の位置調整を容易に行えるうえ、例えば戸パネル１がそり変形して開閉に支障を来す場合にも、戸パネル１の上下・前後の位置調整を行って戸パネル１と開口枠６の対応関係を容易に修復でき、施工後のメテナンスやアフターサービスを容易化できる。
遊動ビーム９に設けた調整枠２７をねじ２８でスライド操作し、左右の下ローラ２４を同時に前後操作する調整構造によれば、前後調整機構を簡素化できるうえ、調整に要する手間も省くことができる。
【図面の簡単な説明】
【図１】上部案内装置の縦断側面図である。
【図２】引戸を開放した状態の斜視図である。
【図３】ガイド枠と遊動ビームとスライド枠のそれぞれを分離した状態の縦断正面図である。
【図４】引戸を開放した状態における上部案内装置の縦断正面図である。
【図５】前後調整機構を示す横断平面図である。
【図６】遊動ビームと調整枠を分離した斜視図である。
【図７】遊動ビームの支持構造の別実施例を示す断面図である。
【符号の説明】
１  戸パネル
３  下部レール
６  開口枠
７  ガイド枠
８  スライド枠
９  遊動ビーム
１１  第１レール
１８  第２レール
２０  第１接当具
２１  第２接当具
２２  上ローラ
２４  下ローラ
２５  軸
２７  調整枠
２８  ねじ
２９  カム部
【図１】
0003623300.tif 000002
【図２】
0003623300.tif 000003
【図３】
0003623300.tif 000004
【図４】
0003623300.tif 000005
【図５】
0003623300.tif 000006
【図６】
0003623300.tif 000007
【図７】
0003623300.tif 000008